(57)【要約】      （修正有）【課題】熟練を要することなしに短時間で包装できて見栄えも良い装飾用リボン付き包装箱を提供する。【解決手段】上向きに開口した箱本体２と箱本体の開口部に被さる蓋体３とからなる小物物品用の包装箱において、蓋体は天板８とその側縁に沿って連設された側板９とで構成し、該側板で箱本体の側面を囲んで被さるように構成する。蓋体の天板に帯状の装飾用リボン１１を掛け渡し、天板の側縁で折り曲げて側板表面上を引き渡してから側板下端で側板裏面側に折り返し、両端部を側板裏面に粘着固定しておく。【選択図】図１
0003158504.tif 000002
【実用新案登録請求の範囲】
【請求項１】
上向きに開口した箱本体と該箱本体の開口部に被さる蓋体とからなる小物物品用の包装箱であって、
前記蓋体は天板とその側縁に沿って連設された側板とから成り、該側板で箱本体の側面を囲んで被さるように構成してあり、前記蓋体の天板には装飾用リボンが掛け渡され、該装飾用リボンは前記天板の側縁で折り曲げて前記側板表面上を引き渡してから側板下端で側板裏面側に折り返し、両端部を側板裏面に粘着固定してあることを特徴とする装飾用リボン付き包装箱。
【請求項２】
請求項１に記載の装飾用リボン付き包装箱において、前記蓋体の側板は高さが前記箱本体の側板高さに略等しく形成してあり、前記蓋体の天板と側板表面上に引き渡した装飾用リボンは前記側板を渡る部分が側板表面に粘着固定してあり、その延長部分は前記側板からはみ出す長さに形成して該はみ出し部の裏面に接着剤層を形成してその表面に剥離シートが貼り付けてあることを特徴とする装飾用リボン付き包装箱。
【考案の詳細な説明】
【技術分野】
【０００１】
本考案は、装飾用リボンによる装飾を施した装飾用リボン付き包装箱に関する。
【背景技術】
【０００２】
従来、贈答用の小物物品を収容する包装箱には装飾を兼ねて装飾用リボンによるリボン掛けがよく行なわれる。リボン掛けはリボンを包装箱に巻き付け、その両端部を解けないように結び合わせて行なわれる。しかし、この装飾用リボンの結び合わせは簡単ではなく、うまく結ばないとリボンが緩んだり、箱から外れたり、見栄えしないものになったりする。また、結び合わせには時間もかかる。
【０００３】
このような問題を解決する技術として、例えば特許文献１には装飾用リボンの両端部を結び合わせるのではなく、装飾用リボンの端部に粘着部を設けておき、これを商品を収容した包装箱に巻き付け、箱裏で両端粘着部どうしを繋ぎ合わせて使用する装飾用リボンが提案されている。また、特許文献２にも両端部に粘着部を設けた装飾用リボンを商品を収容した包装箱に巻き付け、一方の端部の粘着部を箱裏面に、他方の粘着部をその端部の上に粘着させて使用する装飾用リボンが開示されている。
【０００４】
外れる
しかし、装飾用リボンは緩んだり、箱から外れたりしないように適度に伸張させた状態で取り付ける必要がある。そのため粘着部で繋いだり貼り付けたりするにしても、四角形状箱に襷掛けする場合など辺に対して４５度の角度で巻き付ける作業は簡単ではない。特に包装箱にケーキなど逆さにできない品物を収納した場合は、包装箱を裏返しできないため箱裏面に装飾用リボンの端部を貼り付けたり、箱裏面側でリボン両端を粘着結合させたり作業には困難が伴う。
【先行技術文献】
【特許文献】
【０００５】
【特許文献１】特開２００３−３４２８６１号公報
【特許文献２】実開平０５−０６９１９１号公報
【考案の開示】
【考案が解決しようとする課題】
【０００６】
本考案はこのような背景からなされたもので、その課題は熟練を要することなしに短時間で包装できて見栄えも良い装飾用リボン付き包装箱を提供することにある。
【課題を解決するための手段】
【０００７】
前記課題を解決するための請求項１に記載の考案は、上向きに開口した箱本体と該箱本体の開口部に被さる蓋体とからなる小物物品用の包装箱であって、蓋体は天板とその側縁に沿って連設された側板とから成り、該側板で箱本体の側面を囲んで被さるように構成してあり、蓋体の天板には装飾用リボンが掛け渡され、該装飾用リボンは天板の側縁で折り曲げて側板表面上を引き渡してから側板下端で側板裏面側に折り返し、両端部を側板裏面に粘着固定してあることを特徴とする装飾用リボン付き包装箱である。
【０００８】
このような構成によれば蓋体は装飾用リボンを予め取り付けた状態で準備しておくことができる。顧客から注文を受けた場合には商品を箱本体に収容して蓋体を被せ、必要により蓋体の側板と箱本体の底面との境界部にシールを貼る等するだけで包装を完了させることができる。熟練を要せずに短時間で包装できる上、包装の際に箱を裏返す必要がないため収容品がケーキ等逆さにできない商品でも問題はない。
【０００９】
また、請求項２に記載の考案は、請求項１に記載の装飾用リボン付き包装箱において、蓋体の側板は高さが箱本体の側板高さに略等しく形成してあり、蓋体の天板と側板表面上に引き渡した装飾用リボンは側板を渡る部分が側板表面上に粘着固定してあり、その延長部分は側板からはみ出す長さに形成して該はみ出し部の裏面に接着剤層を形成してその表面に剥離シートが貼り付けてあることを特徴とする装飾用リボン付き包装箱である。
【００１０】
このような構成によれば蓋体は装飾用リボンを取り付けた状態で予め準備しておくことができる。顧客から注文を受けた場合には商品を箱本体に収容して蓋体を被せ、装飾用リボンのはみ出し部に貼り付けてある剥離シートを剥がしてはみ出し部を箱本体の底面裏側に折り曲げて粘着固定させるだけでよい。これにより蓋体を箱本体から離れないようにできる。熟練を要せずに短時間で包装できる上、包装の際に箱を裏返す必要がないため収容品がケーキ等逆さにできない商品でも問題はない。
【図面の簡単な説明】
【００１１】
【図１】第１の実施形態に係る装飾用リボン付き包装箱１の斜視図である。
【図２】第１の実施形態に係る蓋体３を裏返して見た斜視図である。
【図３】第２の実施形態に係る装飾用リボン付き包装箱２０の斜視図である。
【図４】装飾用リボン付き包装箱２０の箱本体２２と蓋体２３の斜視図である。
【図５】図４の矢印Ａ方向から見た蓋体２３の側面図である。
【図６】装飾用リボン２７を蓋体２３と箱本体２２に固定した側面図である。
【考案を実施するための形態】
【００１２】
以下、本考案に係る装飾用リボン付き包装箱の構成例について実施形態に分けて説明する。
（第１の実施形態）
図１は、第１の実施形態に係る装飾用リボン付き包装箱１の斜視図である。装飾用リボン付き包装箱１は箱本体２と蓋体３から成る。箱本体２は底板５の周縁に側板６を立設して上方を開口としてある。蓋体３は箱本体２の開口部に被さる蓋で、天板８の周縁には下向きの側板９が連接して設けてある。箱本体２と蓋体３の水平断面形状はほぼ同じで、蓋をした状態では蓋体３の側板９が箱本体２の側板６を内側に囲むように構成してある。
【００１３】
本実施形態では蓋体３の外面に二つの帯状装飾用リボン１１、１２を掛け渡している。一方の装飾用リボン１１には装飾を華やかにするため帯リボンの中央部分に蝶結び１４が設けてある。蝶結び１４は２分割した帯リボンの端を蝶リボン状に結んで形成してもよいし、別途成形した蝶リボン片を帯リボンに結びつけてもよい。
【００１４】
本実施形態で例示した装飾用リボン付き包装箱１は、蓋体３の天板８が矩形である。各装飾用リボン１１、１２は蓋体３の天板８の対向する二つのコーナーに襷掛け状に掛け渡し、天板８の周辺角部で側板９側に折り曲げてその表面を引き渡し、側板９の下端（蓋体３の開口端）で側板９の裏面側（蓋体３の内側）に折り返してある。そして、折り返した両端部を側板９の裏面に接着剤で固定してある。図２は蓋体３を裏返して見た斜視図である。
【００１５】
装飾用リボン１１、１２を上述のように天板８の周辺角部や側板９の下端に斜めに掛け渡した場合、後で装飾用リボン１１、１２が緩んだり、箱から外れたりしないようにするには装飾用リボン１１、１２が天板８の周縁や側板９の下端に４５°の角度で交わるように掛け渡す必要がある。そのような掛け渡しを正確に行なうには、装飾用リボン１１、１２を引き渡す位置に前もって印線を設けておくとよい。
【００１６】
本実施形態の装飾用リボン付き包装箱１は、装飾用リボン１１、１２の全体が蓋体３に取り付けてある。従って、事前にそのような蓋体３を製作して準備しておけば、顧客から注文を受けた商品を箱本体２に収容して蓋体３を被せ、必要により蓋体３の側板９と箱本体２の底面との境界部にシールを貼る等するだけで包装を完了させることができる。包装に熟練を要せず、短時間で包装できる。包装の際に箱を裏返す必要がないため収容品がケーキ等、逆さにできない商品でも容易に包装できる。
【００１７】
本実施形態では四角形状の包装箱について説明したが、箱の形状は円筒状、楕円柱状、その他の形状でもよい。また、装飾用リボンの掛け渡し方は上方から見て襷掛けの他、十字掛け、その他の掛け方でもよい。
【００１８】
（第２の実施形態）
図３は第２の実施形態に係る装飾用リボン付き包装箱２０の斜視図である。装飾用リボン付き包装箱２０は、図４に示すような箱本体２２と蓋体２３から成る。前記第１の実施形態に係る装飾用リボン付き包装箱１では装飾用リボン１１、１２を蓋体３にのみ掛け渡したが、本実施形態では蓋体２３と箱本体２２に掛け渡してある。
【００１９】
図３及び図４は包装箱を四角形状にした場合の例示である。蓋体２３の側板２４は高さが箱本体２２の側板２５の高さに略等しく形成してある。箱本体２２と蓋体２３の水平断面形状はほぼ同じで、蓋をした状態では蓋体２３の側板２４が箱本体２２の側板２５を内側に囲むように構成してある。
【００２０】
本実施形態では装飾用リボン２７が蓋体２３の天板２８に十字状に掛け渡してある。これも例示である。十字の交差部には蝶結び３０が設けてある。蝶結び３０は２本の帯リボンを蝶リボン状に結んで形成してもよいし、別途成形した蝶リボン片を帯リボンに結びつけてもよい。
【００２１】
十字の交差部から四方に伸びる装飾用リボン２７は、天板２８の周辺角部で側板２４側に折り曲げてその表面を引き渡してある。図５は図４の矢印Ａ方向から見た蓋体２３の側面図である。側板２４を引き渡した装飾用リボン２７は、接着剤を使用してその一部分が側板２４の表面に粘着固定してある。
【００２２】
粘着固定した装飾用リボン２７は更に延長されて側板２４からはみ出す長さに形成してある。そして、そのはみ出し部３１は裏面に両面テープによる接着剤層を形成し、その表面に剥離シート３２が貼り付けてある。
【００２３】
このように装飾用リボン２７を取り付けた蓋体２３と箱本体２２とで商品を包装する際は、箱本体２２に商品を収容して蓋体２３を被せる。そして、装飾用リボン２７のはみ出し部３１に貼り付けてある剥離シート３２を剥がしてはみ出し部を箱本体２２の底面裏側３３に折り曲げ、図６に示すようにはみ出し部３１に形成してある接着剤層で底面裏側３３に粘着固定させる。これにより蓋体２３と箱本体２２は装飾用リボン２７により離れないように包装される。
【００２４】
本実施形態の装飾用リボン付き包装箱２０は、蓋体２３に装飾用リボン２７を予め取り付けた状態で準備しておくことができる。顧客から注文を受けた場合には商品を箱本体２２に収容して蓋体２３を被せ、装飾用リボン２７のはみ出し部３１に貼り付けてある剥離シート３２を剥がしてはみ出し部３１を箱本体２２の底面裏側３３に折り曲げて粘着固定させるだけでよい。これにより蓋体２３を箱本体２２から離れないようにできる。包装に熟練を要せず、短時間で包装できる。包装の際に箱を裏返す必要がないため収容品がケーキ等逆さにできない商品でも容易に包装できる。
【００２５】
本実施形態では四角形状の包装箱について説明したが、箱の形状は円筒状、楕円柱状、その他の形状でもよい。また、装飾用リボンの掛け渡し方は上方から見て十字掛けの他、襷掛け、その他の掛け方でもよい。
【符号の説明】
【００２６】
図面中、１、２０は装飾用リボン付き包装箱、２、２２は箱本体、３、２３は蓋体、６、２５は箱本体の側板、８、２８は天板、９、２４は蓋体の側板、１１、１２、２７は装飾用リボン、３１ははみ出し部、３２は剥離シートを示す。
【図１】
0003158504.tif 000003
【図２】
0003158504.tif 000004
【図３】
0003158504.tif 000005
【図４】
0003158504.tif 000006
【図５】
0003158504.tif 000007
【図６】
0003158504.tif 000008